(57)【特許請求の範囲】
【請求項１】
複数の鍵と、該複数の鍵の下方に位置し各鍵の押鍵操作に連動して回動する複数の各質量体と、前記複数の鍵及び前記複数の質量体が並設されたフレームと、前記複数の鍵の下方に位置し前記フレームの側に固定され、前記質量体が衝突することにより当該質量体の回動範囲の上限及び下限をそれぞれ規制する上限動作規制部材及び下限動作規制部材を有する電子楽器の鍵盤装置において、
前記各質量体は、各鍵の押し切り状態において前記上限動作規制部材に当接する第１の当接部と、各鍵の離鍵状態において前記下限動作規制部材に当接する第２の当接部を有し、
前記第１の当接部は、当該質量体の自由端の近傍に位置するとともに、
前記第２の当接部は、前記第１の当接部よりも当該質量体の回動支点側に位置し、
前記第２の当接部は、各鍵の離鍵状態において前記第１の当接部の最下端よりも高い位置にあるように形成されている、
ことを特徴とする電子楽器の鍵盤装置。
【請求項２】
前記各質量体は、各鍵の押し切り状態において、当該質量体の上部が各鍵の左右側壁間の内部に位置するように形成されている、
ことを特徴とする請求項１に記載の電子楽器の鍵盤装置。
【請求項３】
前記各質量体は、下方に開口する凹部を有し、各鍵の離鍵状態において、当該凹部の天井面が前記第２の当接部となって、前記下限動作規制部材に当接する、
ことを特徴とする請求項１又は２に記載の電子楽器の鍵盤装置。
【発明の詳細な説明】
【技術分野】
【０００１】
本発明は、押鍵操作に連動して回動する質量体を有する電子楽器の鍵盤装置に関するものである。
【背景技術】
【０００２】
従来、電子楽器の鍵盤装置において、押鍵操作に連動して質量体を回動させ、アコースティック・ピアノの鍵盤機構に似た鍵タッチ感、より具体的には、質量感及びストップ感を得るものがある。
特許文献１に記載のものは、鍵本体部の後端（鍵支点部）を収容する枠体の後部に上面板があり、この上面板の下面にストッパ（上限ストッパ）が固定されている。錘（質量体）の折り曲げ部（質量集中部、自由端）は、鍵本体部の後端よりもさらに後方にまで延設され、押鍵時に折り曲げ部が上限ストッパに衝突する。この構成によれば、鍵盤装置の奥行きが長くなる。しかも、錘の支点部から自由端までの距離が長くなるに応じて自由端のストローク長は長くなるが、質量体の回動角度を小さくしない限り、鍵盤装置の高さは短縮されない。
【０００３】
一方、上述した質量体が鍵の下方に配置されたものがある（特許文献２，３参照）。この場合、質量体がない場合に比べて、鍵盤装置の奥行きは変わらない。
特許文献２においては、ハンマーアーム（質量体）が、軸（鍵支点）よりも前方の鍵盤シャーシ（フレーム）下面に設けられている。
しかし、鍵盤装置の高さは、鍵の側壁、鍵のストローク長、鍵と鍵盤シャーシとの間のクリアランス、鍵盤シャーシの厚さ、ストッパ部材（上限ストッパ）の厚さ、ハンマーアームのストローク長、ハンマーアームの縦幅、制動部材（下限ストッパ）の厚さ、等を加えたものとなる。
従って、ハンマーアームを配置することにより、鍵盤装置の形状が高くなり、電子楽器が嵩張るという問題がある。
【０００４】
特許文献３においては、アーム（質量体）の軸（回動支点部）が鍵の左右側壁に形成された凹部に嵌合し、アームの緩衝材（上限ストッパ）は、鍵内部の天井面に設けられている。押鍵時には、アームが鍵の左右側壁間の内部に入り込む。
従って、鍵の左右側壁間の内部という鍵盤装置の空きを利用しているために、鍵盤装置の高さが抑制される。
しかし、緩衝材は鍵内部に設けられているため、アームが緩衝材に衝突した時の衝撃が、鍵を介して演奏者の指に伝わるという問題がある。また、緩衝材は、各鍵ごとに個別に設ける必要があるから、全鍵に共通とした場合に比べて作業性が悪く、組立コストもかかるという問題がある。
【特許文献１】特開平９−１９８０３７号公報（特許第３０６０９３０号公報）
【特許文献２】特開平４−１４２５９５号公報
【特許文献３】特公平２−０１９４６８号公報
【発明の開示】
【発明が解決しようとする課題】
【０００５】
本発明は、上述した問題点を解決するためになされたものであり、押鍵操作に連動して回動する質量体を有した電子楽器の鍵盤装置において、装置の奥行きを長くすることなくその高さを抑制し、かつ、良好なストップ感が得られる電子楽器の鍵盤装置を提供することを目的とするものである。
【課題を解決するための手段】
【０００６】
本願の発明は、請求項１に記載の発明においては、複数の鍵と、該複数の鍵の下方に位置し各鍵の押鍵操作に連動して回動する複数の各質量体と、前記複数の鍵及び前記複数の質量体が並設されたフレームと、前記複数の鍵の下方に位置し前記フレームの側に固定され、前記質量体が衝突することにより当該質量体の回動範囲の上限及び下限をそれぞれ規制する上限動作規制部材及び下限動作規制部材を有する電子楽器の鍵盤装置において、前記各質量体は、各鍵の押し切り状態において前記上限動作規制部材に当接する第１の当接部と、各鍵の離鍵状態において前記下限動作規制部材に当接する第２の当接部を有し、前記第１の当接部は、当該質量体の自由端の近傍に位置するとともに、前記第２の当接部は、前記第１の当接部よりも当該質量体の回動支点側に位置し、前記第２の当接部は、各鍵の離鍵状態において前記第１の当接部の最下端よりも高い位置にあるように形成されているものである。
従って、複数の質量体、上限動作規制部材及び下限動作規制部材が、複数の鍵の下方に配置されることにより、装置の鍵の奥行きが長くならない。
各鍵の押し切り状態において、フレーム側の上限動作規制部材に当接する第１の当接部の位置が、自由端の近傍（近傍とは、自由端を含んでも含まなくてもよい）にあるため、良好なストップ感が得られる。一方、下限動作規制部材に当接する第２の当接部の位置が、質量体の回動支点側にあっても、質量体が下限動作規制部材に衝突する際は、質量体の変形が問題とならない。
各鍵の離鍵状態において第２の当接部が第１の当接部の最下端よりも高い位置にあるため、下限動作規制部材の厚みによって装置が高くならない。
【０００７】
請求項２に記載の発明においては、請求項１に記載の電子楽器の鍵盤装置において、前記各質量体は、各鍵の押し切り状態において、当該質量体の上部が各鍵の左右側壁間の内部に位置するように形成されているものである。
従って、鍵の左右側壁間の内部という鍵本体部の空きスペースを有効活用して、質量体と左右鍵側壁とが重なる分に応じて質量体の質量を増し、その結果、質量体の慣性モーメントを増やすことができる。
【０００８】
請求項３に記載の発明においては、請求項１又は２に記載の電子楽器の鍵盤装置において、前記各質量体は、下方に開口する凹部を有し、各鍵の離鍵状態において、当該凹部の天井面が前記第２の当接部となって、前記下限動作規制部材に当接するものである。
従って、凹部の前後の部分の質量を有効に利用して慣性モーメントを増大させることができる。
なお、質量体が連結部により回動支点部と質量集中部とが結合された形状のものであれば、上述した凹部は、質量集中部に配置することができる。
【発明の効果】
【０００９】
本発明によれば、下限動作規制部材と質量体とが干渉することなく高さ方向に重なることを利用し、鍵盤装置の奥行きを長くすることなく、鍵盤装置の高さを抑制して、質量体及び動作規制部材を配置できるという効果がある。かつ、良好なストップ感が得られるという効果がある。
その結果、この鍵盤装置を組み込む電子楽器の外形を薄くすることができる。一方、電子楽器の外形の高さを従来と同じにした場合、この鍵盤装置の鍵奥側の上部に配置される電子楽器の機能部品、例えば、操作パネル上のスイッチや表示器、を実装するための空間を広くすることができる。
【発明を実施するための最良の形態】
【００１０】
図１は、本願発明の第１の実施形態である電子楽器の鍵盤装置を模式的に示す右側面図である。図１（ａ）は押鍵されていない状態（離鍵状態）を示し、図１（ｂ）は白鍵本体部１が押し切られた状態を示している。図１（ｃ）は、図１（ｂ）において、矢示Ａ−Ａから見た白鍵本体部１及び鍵フレーム３を模式的に示す横断面図である。
【００１１】
図１（ａ）において、１は白鍵本体部、２は黒鍵本体部、３は鍵フレーム、４は鍵フレーム底板、８は質量体である。
鍵フレーム３は、複数の鍵の配列方向に延設されたものである。この鍵フレーム３は、例えば板金、あるいは合成樹脂製であり、その各部分（アルファベットの添字が付されている）が一体成形されたものである。
その上部取付部３ａには、複数の白鍵本体部１、複数の黒鍵本体部２が並設されている。上部取付部３ａは、図示の例では水平であり、鍵の長手方向（奥行き方向）の前部に段差部３ｂがある。段差部３ｂには、複数の鍵に対応して、複数のスリット状の貫通孔１５が形成されている。
【００１２】
段差部３ｂの直前は鍵フレーム３を鍵フレーム底板４へ取り付けるための基部３ｃであり、さらにその前方に垂直壁３ｄがある。垂直壁３ｄには鍵ガイド５が設けられている。鍵ガイド５は白鍵本体部の先端部１ａの下部に挿入される。
一方、黒鍵本体部２に対する鍵ガイド６は、上部取付部３ａに立設されている。
白鍵本体部の先端部１ａの下部、鍵ガイド５、垂直壁３ｄ、及び、鍵フレーム底板４の前面は、口棒部９により覆われる。
【００１３】
上部取付部３ａに対し、鍵の長手方向の後部に段差部３ｅがあり、その直後は鍵フレーム３を鍵フレーム底板４へ取り付けるための基部３ｆである。
上部取付部３ａの後端近傍の上面において、複数の白鍵本体部１，黒鍵本体部２のそれぞれに対応して、複数の支持部３ｇが上方に突き出るようにして並設され、各鍵を揺動自在に支持する。上部取付部３ａの後方であって、支持部３ｇの手前には、各鍵に対応してスリット状の貫通孔１６が設けられている。
図１（ｃ）に示すように、支持部３ｇは、立設部３ｇ1、垂直リブ３ｇ4を有している。垂直リブ３ｇ4は、鍵の配列方向の中央に位置し、立設部３ｇ1の前面から前方に所定距離まで延在する薄板である。
【００１４】
この垂直リブ３ｇ4は、鍵フレームの上部取付部３ａにおいて、後述する上限ストッパ（上限動作規制部材）１１が固定される部分の上面に配設されているため、固定される部分の剛性が高まる。また、立設部３ｇ1，垂直リブ３ｇ4は、段差部３ｅに近い位置に配設されている。その結果、後述する質量体８の質量集中部８ｅが上限ストッパ１１に衝突したときに、上限ストッパ１１が固定される部分の変形（撓み）が少なくなり、演奏者の指に与えるストップ感が向上する。
【００１５】
白鍵本体部１及び黒鍵本体部２の左右側壁間の内部には、下方に開口した鍵内空間がある。
白鍵本体部１及び黒鍵本体部２に対する上述した立設部３ｇ1及び垂直リブ３ｇ4の上部は、白鍵本体部１及び黒鍵本体部２の左右側壁と干渉することなく重なるように配設されている。
従って、垂直リブ３ｇ4が配設されても、白鍵本体部１や黒鍵本体部２の左右側壁とが重なるために、図１（ｂ）に示した装置の全高Ｈは高くならない。
【００１６】
また、立設部３ｇ1の左右側面の上部に、軸部３ｇ2，３ｇ3を有し、これらは鍵の配列方向に突き出ている。この軸部３ｇ2，３ｇ3に、白鍵本体部１の後端部の左右側壁に設けられた鍵支点部１ｂ（貫通孔）が嵌合される。一方、黒鍵本体部２に対応する図示されない支持部３ｇの場合も同様であり、軸部３ｇ2，３ｇ3に、黒鍵本体部２の後端部の左右側壁に設けられた鍵支点部２ｂ（貫通孔）が嵌合される。白鍵本体部１，黒鍵本体部２は、鍵支点部１ｂ，２ｂを中心に押離鍵方向に揺動自在に支持される。
【００１７】
鍵フレームの上部取付部３ａの上面には、複数の鍵スイッチ１４が並設され、これらに対向して、白鍵本体部１、黒鍵本体部２の上述した左右側壁間の鍵内空間において、上面裏側（天井面）から下方向に突部（アクチュエータ）が設けられている。この突部の図示は、図１（ｃ）においても省略されている。
上部取付部３ａの前端寄りの下面に質量体支持部３ｈが立設されている。図示のものは、白鍵本体部１に対するものである。白鍵本体部の先端部１ａ寄りにおいて、左右側壁の下端面から下方に力伝達部１ｃが延設されている。この力伝達部１ｃの先端は底板を有し、この底板の上部は、鍵の長手方向に貫通している。この底板の上下面に弾性部材７が固着されている。
【００１８】
一方、黒鍵本体部２の力伝達部は、図示を省略しているが、黒鍵本体部の先端部２ａが下方に延びてから前方に向かい、力伝達部１ｃとは鍵の配列方向に重なる位置にある。
黒鍵本体部２に対しても、同様に、質量体支持部により回動自在に支持された同様の質量体が設けられ、対応する黒鍵の力伝達部の底板と弾性部材７を介して係合している。
なお、白鍵本体部１，黒鍵本体部２は対応する各質量体８の自重によって復帰するが、白鍵本体部１，黒鍵本体部２と鍵フレーム３との間に、白鍵本体部１，黒鍵本体部２を離鍵位置に戻すための復帰バネを設けてもよい。
【００１９】
複数の質量体８、下限ストッパ１０及び上限ストッパ１１は、複数の白鍵本体部１及び複数の黒鍵本体部２（鍵盤面）の下方（鍵内部空間を含む）に位置する。
各質量体８は、複数の白鍵本体部１，黒鍵本体部２のそれぞれに対応し、それぞれの押鍵操作に連動して、押離鍵方向に対応する方向に回動する。図示の質量体８は、白鍵本体部１に対するものである。
質量体８は、質量体支持部３ｈに支持される回動支点部８ｃと、この回動支点部８ｃの前方にあって弾性部材７を介して鍵の力伝達部１ｃに係合する、二股の主被駆動部８ａ及び副被駆動部８ｂと、この回動支点部８ｃの後方に連結部８ｄを介し、自由端部としての質量集中部８ｅを有する。
【００２０】
連結部８ｄの後端は質量集中部８ｅの前端部下方に結合されている。鍵の配列方向に沿った質量集中部８ｅの横幅は、鍵の左右側壁間の内幅よりも短い。図示のＰ点は、回動支点部８ｃから最も遠い点であり、本明細書では、これを自由端という。
連結部８ｄ及び質量集中部８ｅは、回動時に大きな慣性モーメントを発生する。
質量体８は、その主被駆動部８ａ及び副被駆動部８ｂと回動支点部８ｃとの間において、貫通孔１５を貫通している。
【００２１】
質量集中部８ｅには、前方下端面８ｅ1と後方下端面８ｅ2がある。図１（ａ）に示す離鍵状態において、前方下端面８ｅ1の方が、後方下端面８ｅ2よりも高い位置にある。後方下端面８ｅ2は、鍵フレーム底板４に接触しない限度で近接している。図示の例では、両者とも水平状態にある。
前方下端面８ｅ1は、下限ストッパ１０（下限動作規制部材）に対する当接部（第２の当接部）となる。下限ストッパ１０は、鍵フレーム底板４の上面に固定されている。
【００２２】
質量集中部８ｅには、前方下端面８ｅ1の上方に前方上端面８ｅ3があり、後方下端面８ｅ2の上方に後方上端面８ｅ4がある。
図１（ｂ）に示す、鍵が押し切られた状態において、後方上端面８ｅ4は、後述する上限ストッパ１１に対する当接部（第１の当接部）となる。図示の例では、前方上端面８ｅ3，後方上端面８ｅ4はいずれも、鍵フレームの上部取付部３ａと平行になって、水平状態である。
この実施の形態においては、前方下端面８ｅ1（第２の当接部）は、後方上端面８ｅ4（第１の当接部）の最下端（図示の例では、自由端Ｐに相当）よりも高い位置にある。
【００２３】
図１（ａ）に示す離鍵状態において、鍵本体部（図示の例では、白鍵本体部１）が押下されたとき、この鍵に対応する質量体８は重力に抗して反時計回りに回動する。質量集中部８ｅの前方上端面８ｅ3は、貫通孔１６を通過し、白鍵本体部１の左右側壁と干渉することなく、白鍵本体部１の左右側壁間の内部に入り込む。この間、質量体８の慣性モーメントに応じた反作用が白鍵本体部１に伝わることにより、演奏者の指に質量感が与えられる。
図１（ｂ）に示すように、質量体の連結部８ｄが水平状態となって、質量集中部８ｅの後方上端面（第１の当接部）８ｅ4が上限ストッパ（上限動作規制部材）１１に衝突し、質量体８の上限位置が規制される。それとともに質量体８が制動されるために、鍵を介して演奏者の指にストップ感が得られる。自由端Ｐは、図１（ｂ）に「ストローク長」として示した距離を移動する。
上限ストッパ１１は鍵フレーム３の下面に固定されているから、質量集中部８ｅの後方上端面８ｅ4が上限ストッパ１１に衝突したときの衝撃は、鍵を介して演奏者の指に伝わることはない。
【００２４】
一般的に、回動部材において、当接部から回動支点までの部分は変形しにくく、当接部から自由端までの部分は変形しやすいことが知られている。
従って、図１（ｂ）に示す、各鍵の押し切り状態において、上限ストッパ１１に当接する後方上端面（第１の当接部）８ｅ4の位置が、自由端Ｐの近傍（近傍とは、自由端Ｐを含んでも含まなくてもよい）にあるため、良好なストップ感が得られる。また、自由端Ｐ側の部材が、その変形により、上限ストッパ１１以外の、鍵フレームの上部取付部３ａや白鍵本体部１等の予期しない部分に衝突する可能性が少なくなる。
【００２５】
鍵フレームの上部取付部３ａの下面には、補助ストッパ１２が、図示の例では、貫通孔１６の前端に隣接して配設されている。鍵の押し切り時に質量体８が回動範囲の上限位置（押切静止位置）を過渡的に超えた（オーバーストローク）ときに、連結部８ｄが鍵フレームの上部取付部３ａに衝突することを防止する。なお、衝突するおそれがない場合は、補助ストッパ１２を必要としない。
【００２６】
演奏者が鍵を離すと、質量体８が自重により逆回動して図１（ａ）の位置に復帰し、質量集中部８ｅの前方下端面８ｅ1が下限ストッパ１０に衝突することにより、質量体８の初期位置（離鍵状態）を規制する。
質量集中部８ｅが下限ストッパ１０に衝突する際は、押鍵力が加わらず、重力のみで衝突するために衝撃が小さい。従って、下限ストッパ１０に当接する前方下端面（第２の当接部）８ｅ1の位置が、後方上端面（第１の当接部）８ｅ4よりも回動支点８ｃ側にあっても、質量体８の変形が問題とならない。
また、質量集中部８ｅという、質量体８の質量が集中する部分の下端面８ｅ1に下限ストッパ１０に対する当接部（第２の当接部）が設けられているから、離鍵時のリバウンド、振動といったストップ感の悪化を抑制することができる。
【００２７】
一方、鍵フレームの上部取付部３ａの前方上面に配置された下限ストッパ１３は、白鍵本体部１又は黒鍵本体部２が押し切られたときに、それらの左右側壁下端の揺動下限位置を規制する。
上述した上限ストッパ１３は鍵フレームの上部取付部３ａに固定されるものであるから、下限ストッパ１０，補助ストッパ１２，下限ストッパ１３と同様に、複数の鍵の配列方向に沿って帯状に配置されて固定されることにより、全鍵、あるいは、１または数オクターブ単位の、少なくとも２つの鍵（全鍵、あるいは、１〜数オクターブの鍵など）に対応する質量体８に対して共通のものとすることができる。
個々の質量体８に対し、上限ストッパ１１を個別に用意し、配置し固定する作業に比べて、鍵盤装置の組立性が良くなる。
【００２８】
この実施の形態において、図１（ａ）に示す各鍵の離鍵状態において、前方下端面８ｅ1（第２の当接部）は、後方上端面（第１の当接部）８ｅ4の最下端よりも高い位置にある。従って、下限ストッパ１０と質量集中部８ｅとは、高さ方向に一部が重なる。
これに対し、特許文献２のような従来の質量体は、段差のない下端面が下限ストッパに当接している。その結果、下限ストッパの厚みに応じて下端面（第２の当接部）の位置が高くなり、これに応じて鍵盤装置の全高が高くなっていた。
この実施の形態においては、従来技術よりも、重なりの分に応じて、鍵フレームの上部取付部３ａの高さが低くなり、その結果、鍵盤装置の全高Ｈが低くなる。
【００２９】
さらに、図１（ｂ）に示す、各鍵の押し切り状態において、前方上端面８ｅ3が後方上端面（第１の当接部）８ｅ4よりも高い位置にある方が、質量集中部８ｅの質量を増やすことができる。
このとき、質量集中部８ｅの上部(前方上端面８ｅ3)が、各鍵の左右側壁間の内部という空きスペースに位置するように質量集中部８ｅが形成されている場合は、質量体８と各鍵の左右側壁とが干渉することなく高さ方向に重なるから、鍵盤装置の全高Ｈは変わらない。
なお、質量集中部８ｅを、押し切り状態において、前方上端面８ｅ3が上限ストッパ１１とのみ重なるようにしたり、前方上端面８ｅ3が上部取付部３ａの上面と鍵の左右側壁下端との間に位置するようにしてもよい。
【００３０】
上述した説明では、複数の鍵スイッチ１４は、鍵フレームの上部取付部３ａの上面に配設されているとして説明した。これに代えて、特許文献１のように、質量体８の下端面、例えば、主被駆動部８ａと回動支点部８ｃとの間の下端面に突部（アクチュエータ）を形成し、その下方に鍵スイッチ１４を載置した回路基板を配設してもよい。
白鍵本体部１，黒鍵本体部２の支持部材を、図示のような鍵支点部（貫通孔）と軸によるものではない、別構成のものに置き換えてもよい。
【００３１】
鍵フレーム３が合成樹脂製である場合、鍵毎に並設される複数の支持部３ｇは、鍵フレーム３の一部として一体成形できる。しかし、支持部３ｇは鍵フレーム３と別構成のものとして形成しておき、組立て時に、鍵フレーム３に配設してもよい。
上述した上限ストッパ１１を含む各ストッパ部材は、衝撃吸収性、消音性、及び、白鍵本体部１、黒鍵本体部２の停止位置、及び、質量体８の停止位置の再現性の観点から、復元力を備えたものが必要であり、フェルト又はポリウレタン・エラストマ等の動作規制部材が使用される。
質量体８における、主被駆動部８ａ，副被駆動部８ｂから回動支点部８ｃまでの部材は、合成樹脂等で一体化されて基部となる。この基部は、例えば、金属製の連結部８ｄを金型に差し込んだ状態でアウトサート成形により一体化される。質量集中部８ｅは、例えば連結部８ｄと一体の金属製のものである。
【００３２】
図２は、本願発明の第２の実施形態である電子楽器の鍵盤装置を模式的に示す右側面図である。図２（ａ）は押鍵されていない離鍵状態を示し、図２（ｂ）は白鍵本体部が押し切られた状態を示している。図２（ｃ）は、図２（ｂ）において、矢示Ａ−Ａから見た白鍵本体部１ａ、鍵フレーム２１及び上限ストッパ２３を模式的に示す横断面図である。
図中、図１と同様な部分には同じ符号を付して説明を省略する。
この実施の形態は、図１に示した実施の形態と比較すると、下限ストッパに当接する部分を連結部の下面に配設するとともに、鍵フレームの上部取付部の後部を高くすることにより上限ストッパの位置を高くしたものである。
【００３３】
２１は鍵フレームであって、図１に示した鍵フレーム３と全体的には同様なものである。しかし、その上部取付部２１ａは前後に分かれている。前方上部取付部２１ａ1は、移行部２１ａ2により、僅かに高い後方上部取付部２１ａ3と結合している。
２１ｂは段差部、２１ｃは基部、２１ｄは垂直壁、２１ｅは段差部、２１ｆは基部である。段差部２１ｂには、複数の鍵に対応して、複数のスリット状の貫通孔２４が形成されている。
後方上部取付部２１ａ3の後端近傍において、複数の白鍵本体部１，黒鍵本体部２のそれぞれに対応して複数の支持部２１ｇが並設されている。２１ｇ1は立設部、２１ｇ4は垂直リブである。後方上部取付部２１ａの後方部分であって、支持部２１ｇの手前には、各鍵に対応してスリット状の貫通孔２５が形成されている。
【００３４】
図２（ｃ）に示すように、立設部２１ｇ1の左右の側面の上部には、軸部２１ｇ2，２１ｇ3を有する。図示の軸部２１ｇ2，２１ｇ3の高さは、図１に示した軸部３ｇ2，３ｇ3と同じにしている。
支持部２１ｇの上部は、白鍵本体部１又は黒鍵本体部２の左右側壁間の内部に配設されている。
２１ｈは質量体支持部である。質量体２２は、複数の白鍵本体部１及び複数の黒鍵本体部２（鍵盤面）の下方（鍵内部空間を含む）に、複数の白鍵本体部１，黒鍵本体部２のそれぞれに対応して並設されている。全体としては図１に示した質量体８とほぼ同様の構造である。上述した質量体支持部２１ｈに支持され、対応する鍵の力伝達部１ｃを介して回動される。
【００３５】
２２ａは主被駆動部、２２ｂは副被駆動部、２２ｃは回動支点部である。
連結部２２ｄは、前方連結部２２ｄ1と後方連結部２２ｄ2とが結合した構造である。
図２（ａ）に示す離鍵時において、後方連結部２２ｄ2が下限ストッパ２３に当接する。このとき、図示の例では、後方連結部２２ｄ2の下端面（第２の当接部）が鍵フレーム底板４と平行な水平状態になる。
２２ｅは質量集中部であり、後方連結部２２ｄ2の後端が質量集中部２２ｅの前端部下方に結合されている。
【００３６】
質量集中部２２ｅには、前方下端面２２ｅ1と後方下端面２２ｅ2がある。
図２（ａ）に示す離鍵状態において、図示の例では、前方下端面２２ｅ1は傾斜面で後方が低く、水平状態にある後方下端面２２ｅ2に連結している。
この離鍵状態において、後方連結部２２ｄ2の下端面（第２の当接部）の方が、後述する後方上端面２２ｅ4（第１の当接部）の最下端よりも高い位置にある。後方下端面２２ｅ2は、鍵フレーム底板４に接触しない限度で近接している。
後方連結部（第２の当接部）２２ｄ2は、下限ストッパ２３に対する当接部となる。下限ストッパ２３は、鍵フレーム底板４の上面に固定されている。
【００３７】
質量集中部２２ｅには、前方下端面２２ｅ1の上方に前方上端面２２ｅ3があり、後方下端面２２ｅ2の上方に後方上端面（第１の当接部）２２ｅ4がある。
図示の例では、前方上端面２２ｅ3，後方上端面２２ｅ4は、図２（ｂ）に示す、鍵が押し切られた状態においては、鍵フレームの後方上部取付部２１ａ3と平行になって、水平状態となる。後方上端面２２ｅ4は、上限ストッパ１１に対する当接部（第１の当接部）となる。
【００３８】
図２（ａ）に示す離鍵状態において、白鍵本体部１が押されたとき、この鍵に対応する質量体２２は、重力に抗して反時計回りに回動する。
後方上端面２２ｅ4の位置が低いため、図２（ｂ）に示す、鍵が押し切られた状態において、前方上端面２２ｅ3の高さが上限ストッパ１１よりも上昇する。
図示の例では、前方上端面２２ｅ3が貫通孔２５を通過し、前方連結部２２ｄ1は水平状態になり、前方上端面２２ｅ3が白鍵本体部１の左右側壁間の内部にまで入り込むまで回動し、後方上端面３２ｅ4が上限ストッパ（動作規制部材）１１に衝突する。
自由端Ｐは、図２（ｂ）に「ストローク長」として示した距離を移動する。
黒鍵本体部２に対しても、同様な質量体が設けられ、対応する黒鍵の力伝達部により回動され、上限ストッパ１１に衝突する。
【００３９】
図示の例では、鍵盤装置の全高Ｈは、図１に示した実施の形態と同じである。しかし、後方上部取付部２１ａ3が前方上部取付部２１ａ1よりも高い分（距離ｈ）だけ、上限ストッパ１１の固定位置が上に移動する。その結果、図２（ａ）に示した離鍵状態における後方上端面２２ｅ4の高さを、図１に示した後方上端面８ｅ4よりも高くすることができる。従って、後方下端面２２ｅ2と後方上端面２２ｅ4との間の縦幅（高さ方向）を厚くすることができるから、この部分の部品強度を高くすることができる。
あるいは、後方下端面２２ｅ2と後方上端面２２ｅ4との間の縦幅を図１と同様に薄いものとすれば、鍵盤装置の全高Ｈを、図１に示した実施の形態よりも低くすることができる。
【００４０】
図３は、本願発明の第３の実施形態である電子楽器の鍵盤装置を模式的に示す右側面図である。図３（ａ）は押鍵されていない離鍵状態を示し、図３（ｂ）は白鍵本体部が押し切られた状態を示している。白鍵本体部１及び鍵フレーム３１の横断面図は、図３（ｃ）に示した、白鍵本体部１及び鍵フレーム２１と同様であるので、図示を省略する。
図中、図１と同様な部分には同じ符号を付して説明を省略する。
【００４１】
この実施の形態は、下限ストッパに当接する部分を質量集中部３２に形成したものである。
３１は鍵フレームであって、図１，図２に示した鍵フレーム３，２１と全体的には同様なものである。前方上部取付部３１ａ1は、この前方上部取付部３１ａ1よりも高い後方上部取付部３１ａ3と、段差部３１ａ2により結合している。段差は、後述する質量体の連結部３２ｄと質量集中部３２ｅとの連結形状に合わせている。
【００４２】
３１ｂは段差部、３１ｃは基部、３１ｄは垂直壁である。鍵フレームの段差部３１ｂには、複数の各鍵に対応して、複数のスリット状の貫通孔３５が形成されている。
３１ｅは段差部、３１ｆは基部である。後方上部取付部３１ａ3の後端近傍において、複数の鍵のそれぞれに対応して複数の支持部３１ｇが並設されている。３１ｇ1は立設部、３１ｇ4は垂直リブである。鍵フレームの後方上部取付部３１ａ3には、複数の各鍵に対応して、複数のスリット状の貫通孔３６が形成されている。
【００４３】
３１ｈは質量体支持部である。質量体３２は、複数の白鍵本体部１及び複数の黒鍵本体部２（鍵盤面）の下方（鍵内部空間を含む）に、複数の白鍵本体部１，黒鍵本体部２のそれぞれに対応して並設されている。全体としては図１，図２に示した質量体８，２２とほぼ同様の構造である。上述した質量体支持部３１ｈに支持され、対応する鍵の力伝達部１ｃを介して回動される。
【００４４】
３２ａは主被駆動部、３２ｂは副被駆動部、３２ｃは回動支点部、３２ｄは連結部、３２ｅは質量集中部であり、連結部３２ｄの後端は質量集中部３２ｅの前端部下方に垂直に結合されている。
質量集中部３２ｅには、前方下端面３２ｅ1と後方下端面３２ｅ3の間に下方に開口した凹部３３が形成されている。図示の例では、前方下端面３２ｅ1と後方下端面３２ｅ3は鍵フレーム底板４から同じ高さにあり、水平状態である。
離鍵状態において、この凹部３３の内部に下限ストッパ３４の上部が位置し、凹部３３の天井面（第２の当接部）３２ｅ2に当接する。凹部３３は、質量体３２（質量集中部３２ｅ）と、高さ方向で見ると重なるから、鍵盤装置の全高Ｈは高くならない。
【００４５】
図１に示した質量集中部８ｅと同様に、質量集中部３２ｅという質量体３２の質量が集中する部分に下限ストッパ３４に対する当接部（第２の当接部、凹部３３の天井面３２ｅ2）を設けているから、離鍵時のリバウンド、振動といったストップ感の悪化を抑制することができる。
しかし、図１に示した質量集中部８ｅの場合は、下限ストッパ１０の左側（鍵の長手方向の前方）において、下端面８ｅ1と鍵フレーム底板４との間に、空きがある。
これに対し、質量集中部３２ｅは、この空きに対応する場所においても、第１の下端面３２ｅ1が鍵フレームの底板４に接近しているから、質量を稼いでいる。その結果、質量体３２の慣性モーメントが増大する。
【００４６】
質量集中部３２ｅには、前方下端面３２ｅ1から天井面３２ｅ2（第２の当接部）を経て後方下端面３２ｅ2の前方部分に至るまでの上部に、前方上端面３２ｅ4があり、後方下端面３２ｅ2の後方部分の上部に後方上端面３２ｅ5がある。この実施の形態では、図３（ａ）に示す離鍵状態において、天井面（第２の当接部）３２ｅ2は、後方上端面（第１の当接部）３２ｅ5の最下端よりも高い位置にある。
図示の例では、前方上端面３２ｅ4，後方上端面３２ｅ5は、図３（ｂ）に示す、鍵が押し切られた状態において、鍵フレームの後方上部取付部３１ａ3と平行な水平状態となる。後方上端面３２ｅ5は、上限ストッパ１１に対する当接部（第１の当接部）となる。
【００４７】
図３（ａ）に示す離鍵状態において、白鍵本体部１が押されたとき、この鍵に対応する質量体３２は、重力に抗して反時計回りに回動する。
図示の例では、前方上端面３２ｅ4が貫通孔３６を通過し、連結部３２ｄは水平状態になり、前方上端面３２ｅ4が白鍵本体部１の左右側壁間の内部にまで入り込むまで回動し、後方上端面３２ｅ5が上限ストッパ（動作規制部材）１１に衝突する。
自由端Ｐは、図３（ｂ）に「ストローク長」として示した距離を移動する。
黒鍵本体部２に対しても、同様な質量体が設けられ、対応する黒鍵の力伝達部により回動され、上限ストッパ１１に衝突する。
【００４８】
図示の例では、前方上部取付部３１ａ1の高さ及び鍵盤装置の全高Ｈは、図１に示した実施の形態と同じである。
しかし、図２に示した実施の形態と同様に、距離ｈに応じて、上限ストッパ１１の固定位置が上に移動する。従って、後方下端面３２ｅ3と後方上端面３２ｅ5との間の縦幅（高さ方向）を厚くすることができる。あるいは、後方下端面３２ｅ3と後方上端面３２ｅ5との間の縦幅を図１と同様に薄いものとすれば、鍵盤装置の全高Ｈを図１に示した実施の形態よりも低くすることができる。
【００４９】
上述した各実施の形態において、複数の質量体８，２２，３２、下限ストッパ１０，２３，３４、及び、上限ストッパ１１は、複数の白鍵本体部１及び複数の黒鍵本体部２（鍵盤面）の下方（鍵内部空間を含む）に位置している。
ここで、下方に位置するとは、装置の高さ方向に見た場合に、上述した複数の質量体、下限ストッパ、及び、上限ストッパが存在する位置の高さが、複数の白鍵本体部１及び複数の黒鍵本体部２（鍵盤面）の高さよりも、低いことを意味している。
上述した各実施の形態においては、複数の質量体、下限ストッパ、及び、上限ストッパは、鍵の長手方向において、複数の白鍵本体部の先端部１ａから白鍵本体部１及び黒鍵本体部２の後端部までの区間内に完全に入る。
しかし、複数の質量体、下限ストッパ、及び、上限ストッパの少なくとも１つが、例えば、白鍵本体部１及び黒鍵本体部２の後端部から後方に、はみ出しても構わない。はみ出しが少しであれば、鍵盤装置以外の構成部品も組み込まれる電子鍵盤楽器の奥行きに、それほど影響を与えない。
【００５０】
上述した各実施の形態において、質量体８，２２，３２は、その自由端側に質量集中部８ｅ，２２ｅ，３２ｅを有した構造のものであった。しかし、各鍵の押鍵操作に連動して回動するものであればよく、質量が集中していることが明確でない構造のものであってもよい。
【００５１】
上述した各実施の形態において、質量体支持部３ｈ，２１ｈ，３１ｈは、鍵フレームの上部取付部３ａ，２１ａ1（前方上部取付部），３１ａ1（前方上部取付部）の下面に立設されていた。
しかし、鍵フレーム底板４の上面に質量体支持部を立設したり、鍵フレーム３，２１，３１に前方下部取付部を新たに設け、この上面に質量体支持部を立設したりしてもよい。これらの場合、質量体が回動する途中で、質量体の被駆動側部分が通過する領域（貫通孔１５，２４、３５の領域に相当）や、質量集中部が通過する領域（貫通孔１６，２５，３６の領域に相当）に、鍵フレーム３，２１，３１の部分構成が存在しないようなフレーム構造にすることができる。
【図面の簡単な説明】
【００５２】
【図１】本願発明の第１の実施形態である電子楽器の鍵盤装置を模式的に示す右側面図である。
【図２】本願発明の第２の実施形態である電子楽器の鍵盤装置を模式的に示す右側面図である。
【図３】本願発明の第３の実施形態である電子楽器の鍵盤装置を模式的に示す右側面図である。
【符号の説明】
【００５３】
１…白鍵本体部、１ａ…先端部、１ｂ…鍵支点部、１ｃ…力伝達部、２…黒鍵本体部、２ａ…先端部、２ｂ…鍵支点部、
３，２１，３１…鍵フレーム、３ａ…上部取付部、２１ａ1,３１ａ1…前方上部取付部、２１ａ2…移行部、３１ａ2…段差部、２１ａ3，３１ａ3…後方上部取付部、３ｂ，２１ｂ，３１ｂ…段差部、３ｃ，２１ｃ，３１ｃ…基部、３ｄ，２１ｄ，３１ｄ…垂直壁、３ｅ，２１ｅ，３１ｅ…段差部、３ｆ，２１ｆ，３１ｆ…基部、３ｇ，２１ｇ，３１ｇ…支持部、３ｇ1，２１ｇ1，３１ｇ1…立設部、３ｇ2，３ｇ3，２１ｇ2，２１ｇ3，３１ｇ2，３１ｇ3…軸部、３ｇ4，２１ｇ4，３１ｇ4…垂直リブ、３ｈ，２１ｈ，３１ｈ…質量体支持部、
４…鍵フレーム底板、５，６…鍵ガイド、７…弾性部材、
８，２２，３２…質量体、８ａ，２２ａ，３２ａ…主被駆動部、８ｂ，２２ｂ，３２ｂ…副被駆動部、８ｃ，２２ｃ，３２ｃ…回動支点部、８ｄ，２２ｄ，３２ｄ…連結部、２２ｄ1…前方連結部、２２ｄ2…後方連結部（その下端は第２の当接部）、
８ｅ，２２ｅ，３２ｅ…質量集中部、８ｅ1…前方下端面（第２の当接部），８ｅ2…後方下端面、８ｅ3…前方上端面、８ｅ4…後方上端面、２２ｅ1…前方下端面、２２ｅ2…後方下端面、２２ｅ3…前方上端面、２２ｅ4…後方上端面（第１の当接部）、３２ｅ1…下端面、３２ｅ2…凹部の天井面（第２の当接部）、３２ｅ3…後方下端面（第１の当接部）、３２ｅ4…前方上端面、３２ｅ5…後方上端面（第１の当接部）、
９…口棒部、１０，２３，３４…下限ストッパ（下限動作規制部材）、１１…上限ストッパ（上限動作規制部材）、１２…補助ストッパ、１４…鍵スイッチ、１５，１６，２４，２５，３５，３６…貫通孔、３３…凹部
【図１】
0005135968.tif 000002
【図２】
0005135968.tif 000003
【図３】
0005135968.tif 000004